(57)【要約】【課題】本発明の課題は、夜間や悪天候時に外部から有効に照らすことができる、視認性の高い吹流しを提供することである。【解決手段】本発明の夜間対応吹流しは、風向と風速に応じて吹流しの動きに追随して照明装置を動かすために、ポールの軸の周りに回転可能な第一の回転装置とこれに回転可能に軸支され水平軸の周り（上下に）に回転して吹流し本体の傾斜角に追随して動く第二の回転装置と、第二の回転装置に付設して吹流し本体を照明する照明具と、第二の回転装置に付設して風を受ける吹流し本体とを有する。【選択図】図１
2014157042.tif 000002
【特許請求の範囲】
【請求項１】
取り付け立設のためのポールと、その所望の高さ位置に取付けられ、その軸の周りに回転可能な第一の回転装置と、第一の回転装置に回転可能に軸支され水平軸の周り（上下に）に回転して吹流し本体の傾斜角に追随して動く第二の回転装置と、第二の回転装置に結束手段により付設され風を受けて風にたなびく吹流し本体と、第二の回転装置に付設され前記吹流し本体を照明する照明具とを有することで、風力と風向に応じた前記吹流し本体の位置の変化に追随して前記照明具の向きが変わり、前記吹流し本体を照明可能にしたことを特徴とする夜間対応吹流し。
【請求項２】
前記結束手段は、前記吹流し本体に取付けられる紐とこれを前記第二の回転装置に結びつけるための結束具であり、前記結束具は、第二の回転装置の先端で、前記ポール方向への延長がほぼ前記ポールの軸を通る軸通過線上の位置に備えているか、これと等価になるように、前記軸通過線から遠心方向に均等な距離に備えていることを特徴とする請求項１記載の夜間対応吹流し。
【請求項３】
前記照明具が第二の回転装置に取付けられた状態が、前記照明具の発光面の中心軸が、
前記軸通過線の外にみだした状態であることで、前記照明具の前記吹流し本体への照明を前記吹流し本体の外表面から行うことを可能としたことを特徴とする請求項１又は請求項２記載の夜間対応吹流し。
【請求項４】
前記照明具は、前記吹流し本体の外表面を前後から照明できるように、前後分の対で備えたことを特徴とする請求項３記載の夜間対応吹流し。
【請求項５】
前記照明具は、前後のいずれか一方から照明する分を備え、第二の回転装置に取り付いた前記照明具の重量の不均衡さの改善するために、反対側に重量均衡用の重量物を備えたことを特徴とする請求項３記載の夜間対応吹流し。
【請求項６】
前記吹流し本体の内部に反射材で出来た反射テープを配置することで、前記吹流し本体内を通過する風を受けて揺れ動きながら前記照明具からの光を反射することを特徴とする請求項１から請求項５のいずれか１つに記載の夜間対応吹流し。
【発明の詳細な説明】
【技術分野】
【０００１】
本発明は、夜間でも視認しやすい吹流しに関する。
【背景技術】
【０００２】
従来、主に高速道路には布などでできた筒である図４の４−Ａのような吹流しが高所に設置され、吹流しがたなびく方向や角度を見ることで、風向や風速を測ってきた。具体的には、吹流し本体４０１はロープ４０２によって、打ち立てられたポール４０３の外周の一部を覆う、ポール４０３より大径の筒である回転筒４０４に取り付けられる。回転筒４０４はポール４０３の外周に沿って左右に回転可能になっており、吹流し本体４０１が風を受けて風向と反対方向にたなびく。このような吹き流しは電力等のエネルギーを使用せずに風向や風速が分かるため、非常に単純で分かりやすいものであった。
【０００３】
しかしながら吹流しは、日中は視認しやすいが、夜間あるいは悪天候時には、その色彩や柄を工夫するだけでは視認しにくいという欠点がある。そのような状況でも使用するためには何らかの手段で吹流しを照らす必要がある。吹流しを照らす発明としては特許文献１、特許文献２が挙げられる。
特許文献１では図４の４−Ｂのものが示されている。太陽光発電を利用し、吹流しの内部または表面にキセノンランプやLEDなどの光源を設けるものであるが、内部から照らした場合は光が吹流しの生地に阻まれて視認性が若干落ちる一方、吹流しの表面に光源を付けた場合は、様々な角度にたなびく吹流しをどの方向から見ても視認できるように取り付ける必要があるため、光源の数と取り付け方には工夫が欠かせない。吹流しの劣化交換とともに発光体も捨てられてしまうため勿体ない。電源が外部にあり配線される場合には、ポールに配線が絡まないための電源の引き回しに工夫が必要である。
特許文献２では図４の４−Ｃのものが示されている。太陽光や風力による発電を行う他、吹流しが透明または半透明で、内部に照明手段を設けるものであるが、吹流しが透明または半透明であれば夜間の視認性は高まる一方で、日中の視認性は低下するというデメリットがある。発光体用の電源が吹流しの口に設置された場合と外部に設置され配線される両方が書いてある。内部に発光体を付設する場合には、吹流しの劣化交換とともに発光体も捨てられてしまうため勿体ない。電源が外部にあり配線される場合には、ポールに配線が絡まないための電源の引き回しに工夫が必要である。更に内部の光源用に電源、蓄電池を吹流しの口に設置することが示されているが、電源や蓄電池は重いので、吹流しの動作に制限を与えてしまい好ましくないだけでなく現実的ではない。又、反射材を吹流しの表面に設置する例も示されているが、これは外部からの照明が与えられる手段が示されて無いので有効でない。車等の照明が当たることが期待できないからである。
【０００４】
したがって、吹流しを内部から照らす方法は昼夜いずれかの視認性を低減させ非現実的であり、いかなる吹流しの位置にも対応できる手段を持って、外部から吹流しを効率的に照らすことができれば、利便性が高いといえる。
【０００５】
上記背景から、夜間や悪天候時に外部から有効に照らすことができる、視認性の高い吹流しが望まれている。
【先行技術文献】
【特許文献】
【０００６】
【特許文献１】実開平５−１１０８９
【特許文献２】特開２００３−５８０８４
【発明の概要】
【発明が解決しようとする課題】
【０００７】
本発明の課題は、夜間や悪天候時にも外部から有効に照らすことができる、視認性の高い吹流しを提供することである。
【課題を解決するための手段】
【０００８】
本発明の夜間対応吹流しは、風向と風速に応じて吹流しの動きに追随して照明装置を動かすために、ポールの軸の周りに回転可能な第一の回転装置とこれに回転可能に軸支され水平軸の周り（上下に）に回転して吹流し本体の傾斜角に追随して動く第二の回転装置と、第二の回転装置に付設して吹流し本体を照明する照明具と、第二の回転装置に付設して風を受ける吹流し本体とを有することで、
風力と風向に応じた吹流し本体の位置の変化に追随して照明具の向きが変わり、常に吹流し本体を照明可能にしたものである。
【０００９】
請求項１記載の発明は、夜間対応吹流しであって、
取り付け立設のためのポールと、その所望の高さ位置に取付けられ、その軸の周りに回転可能な第一の回転装置と、第一の回転装置に回転可能に軸支され水平軸の周り（上下に）に回転して吹流し本体の傾斜角に追随して動く第二の回転装置と、第二の回転装置に結束手段により付設され風を受けて風にたなびく吹流し本体と、第二の回転装置に付設され前記吹流し本体を照明する照明具とを有することで、風力と風向に応じた前記吹流し本体の位置の変化に追随して前記照明具の向きが変わり、前記吹流し本体を照明可能にしたことを特徴とする。
【００１０】
請求項２記載の発明は、請求項１記載の夜間対応吹流しにおいて、
前記結束手段は、前記吹流し本体に取付けられる紐又はロープとこれを前記第二の回転装置に結びつけるための結束具であり、前記結束具は、第二の回転装置の先端で、前記ポール方向への延長がほぼ前記ポールの軸を通る軸通過線上の位置に備えているか、これと等価になるように、前記軸通過線から遠心方向に均等な距離に備えていることを特徴とする。
【００１１】
請求項３記載の発明は、請求項１又は請求項２記載の夜間対応吹流しにおいて、
前記照明具が第二の回転装置に取付けられた状態が、前記照明具の発光面の中心軸が、
前記軸通過線の外にみだした状態であることで、前記照明具の前記吹流し本体への照明を前記吹流し本体の外表面から行うことを可能としたことを特徴とする。
【００１２】
請求項４記載の発明は、請求項３記載の夜間対応吹流しにおいて、
前記照明具は、前記吹流し本体の外表面を前後から照明できるように、前後分の対で備えたことを特徴とする。
【００１３】
請求項５記載の発明は、請求項３記載の夜間対応吹流しにおいて、
前記照明具は、前後のいずれか一方から照明する分を備え、第二の回転装置に取り付いた前記照明具の重量の不均衡さの改善するために、反対側に重量均衡用の重量物を備えたことを特徴とする。
【００１４】
請求項６記載の発明は、請求項１から請求項５のいずれか１つに記載の夜間対応吹流しにおいて、前記吹流し本体の内部に反射材で出来た反射テープを配置することで、前記吹流し本体内を通過する風を受けて揺れ動きながら前記照明具からの光を反射することを特徴とする。
【発明の効果】
【００１５】
以上のように構成されているので、本発明の夜間対応吹流しは、照明具が吹流し本体の動きに追随して夜間や悪天候時に有効に照らすことが可能である。
【図面の簡単な説明】
【００１６】
【図１】本発明の夜間対応吹流しの一実施態様を示す図である。
【図２】本発明の夜間対応吹流しの拡大された実施態様を示す図である。
【図３】本発明の夜間対応吹流しの照明追随装置の実施態様を示す図である。
【図４】従来の吹流しを示す図である。
【発明を実施するための形態】
【００１７】
従来から吹流しは、ポールに括りつけられていて、風向きの方向に向き、風速が強くなるほど水平に近づくように、風速に応じて鉛直線からの傾きを増す。吹流しを夜間視認できるように照明を行いたい。しかしながら、風向と風速に応じて吹流しの存在する場所が異なるため、これに対応するために、風向と風速に応じて吹流しの動きに追随して照明具を動かすために、ポールと、所望の高さ位置に取付けられ、その軸の周りに回転可能な第一の回転装置とこれに回転可能に軸支され水平軸の周り（上下に）に回転して吹流し本体の傾斜角に追随して動く第二の回転装置と、第二の回転装置に付設して吹流し本体を照明する照明具と、第二の回転装置に結束手段により付設して風を受ける吹流し本体とを有することで、風力と風向に応じた吹流し本体の位置の変化に追随して照明具の向きが変わり、常に吹流し本体を照明可能にしたもので、他に、ポールには、日中蓄えた電力を夜間に照明で使用するための太陽電池や風力発電機等の発電手段と蓄電池や外部からの電源配線等が備えられる。また、吹流しの内外表面に反射材を設けることにより、様々な角度からの視認性を向上させることができる。
照明はLEDや蛍光灯、ハロゲンランプなど任意のものでよい。
反射材はシートのような軟質の素材と硬質の素材がありいずれを使用してもよいが、風にたなびく吹流し本体に取り付けるには軟質の方が適していると思われる。
【００１８】
図１は、本発明の夜間対応吹流しの一実施態様を示す図である。
ポール１１０には、照明の電源を与えるための蓄電池ボックス１０１、太陽電池又は風力発電機などの発電装置１０２又は、これらに変わる外部電源が供給され、ポール１１０の所望の高さに、ポール１１０の軸の周りに回転可能な第一の回転装置１２０（ここでは管またはリング１２１とアーム１２２）が備えられ、これにより風向きに対応してポール１１０の垂直軸の周りに回転できる。この図で分かるように第一の回転装置１２０に回転可能に軸支され（ここではアーム１２２を介して軸支されている）、水平軸の周り（上下に）に回転して吹流し本体１６０の傾斜角に追随して動く第二の回転装置１３０がある。ここでは、第二の回転装置１３０の先端で吹流し本体１６０がある方向に向け、照明具１４０がある。第二の回転装置１３０には、結束手段１５０を介して吹流し本体１６０が結びつけられている。吹流し本体１６０は、よく知られたものであり布等で出来た筒状体である。風向と風速に応じて吹流し本体１６０が動くと、吹流し本体１６０は第二の回転装置１３０に結ばれているので、第二の回転装置１３０は、第一の回転装置１２０に対して水平軸の周り（上下に）に回転し、さらに第一の回転装置１２０は、ポール１１０に対して回転し、これらの動作により、吹流し本体１６０の動きに対して第二の回転装置１３０は追随する。照明具１４０は、第二の回転装置１３０に吹流し本体１６０に向けて取り付けてあるので、同様に追随し吹流し本体１６０を常に照明することが可能になっている。尚、第一の回転装置１２０と照明具１４０と吹流し本体１６０とが結束された第二の回転装置１３０で照明追随装置が構成されている。
【００１９】
図３は、本発明の夜間対応吹流しの照明追随装置の実施態様を示す図である。
３−Ａでは、図１に示したものの照明追随装置を拡大して示している。ポール１１０に回転可能に第一の回転装置１２０（ここでは管またはリング１２１とアーム１２２）が備えられ、これに第二の回転装置１３０が水平軸の周りに回転可能に軸支されている。第二の回転装置１３０の先端には、図示しない吹流し本体１６０がある方向に向け、照明具１４０がある。３−Ｂでは、第一の回転装置１２０と第二の回転装置１３０の間の水平軸の周りの回転結合のはまりの状態が３−Ａとは反対になった例で本質的には変わらない。３−Ｃでは、第一の回転装置１２０と第二の回転装置１３０の間の水平軸の周りの回転結合が、突起片とこれを挟む「コ」の字状の挟み片の間でボルト支持されたものを示している。
３−Ａから３−Ｃと３−Ｆでは、照明具１４０の取り付け状態が異なる。前者では、吹流し本体１６０の紐又はロープ１５２による第二の回転装置１３０への結束具１５１の中心軸の延長線はポール１１０の中心軸をほぼ通過し（軸通過線と呼ぶことにする）、照明具１４０の発光面の中心を通る中心軸もこの延長線上にあった。これに対して、３−Ｆでは、照明具１４０が第二の回転装置１３０に取付けられた状態が、照明具１４０の発光面の中心を通る中心軸が軸通過線の延長線外にはみだした状態であることである。このようにすると
照明具１４０が吹流し本体１６０の口を中心に照明するように追随するだけでなく、照明具１４０を外側にずらした状態で追随させることが出来て、照明状態の選択の自由度を確保できる。尚、３−Ｆで紐又はロープ１５２が結束される結束具１５１が第二の回転装置１３０の先端に備えられている。３−Ｆでは、３−Ｃと同じ回転装置で示したが３−Ａ、３−Ｂのもので３−Ｆを構成しても同じである。３−Ｇでは、３−Ｆとの違いは、照明具１４０を吹流し本体１６０を前後から照明できるように前後分用に対（二つ）で備えている例である。３−Ｈでは、３−Ｆとの違いは、照明具１４０の取付けによる重量バランスが悪い場合にこれを改善する目的で、照明具１４０の反対側に照明具１４０による重量負荷のアンバランスを補うカウンターウェイト（重量均衡用の重量物）１７０を備えたものである。
【００２０】
３−Ｄと３−Ｅには、吹流し本体１６０からの紐又はロープ１５２を第二の回転装置１３０に結びつける結束具１５１の位置の違うものの２例である。３−Ｄでは、第二の回転装置１３０の先端で照明具１４０の発光面の真ん中の中心軸に備えている。これに対して、３−Ｅでは、第二の回転装置１３０に付いた照明具１４０の発光面の真ん中の中心軸から均等な距離（ここでは３方向）に結束具１５１を備えることで、力は中心軸に掛かるのと同じにしている。尚、結束具１５１と紐又はロープ１５２で結束手段１５０を構成している。
【００２１】
図２は、本発明の夜間対応吹流しの拡大された実施態様を示す図である。
２−Ａでは、図１の夜間対応吹流しの吹流し本体１６０の口であるの吹流し口２０１の周りにも照明具１４０を配置した応用を示す。２−Ｂでは、図１の夜間対応吹流しの吹流し本体１６０の外表面に反射体２０２を設置している。２−Ｃでは、図１の夜間対応吹流しの吹流し本体１６０の内部に反射材で出来た反射テープ２０３を配置した例である。反射テープ２０３は、吹流し本体１６０内を通過する風を受けて揺れ動きながら照明具１４０からの光を反射する。
反射体２０２や反射テープ２０３により、１つの照明のみで照射光を効率的に地表に送ることができ、多方面からの視認性が高まる。反射体２０２は２−Ｂでは縦の縞模様となるように設置しているが、他方向からの視認性を高めるものである限り、設置・配置の方法や設置数を問わない。尚、反射テープ２０３を使った例や、吹流し本体１６０の内部からの光を外部に出すには、吹流し本体１６０に透明部を設けることが好都合であることは勿論である。
【産業上の利用可能性】
【００２２】
以上のように構成されているため、本発明の夜間対応吹流しは、夜間や悪天候時に効率良く照らすことができ、産業上利用性が極めて大きい。
【符号の説明】
【００２３】
１０１  蓄電池ボックス
１０２  発電装置
１１０、４０３  ポール
１２０  第一の回転装置
１２１  管またはリング
１２２  アーム
１３０  第二の回転装置
１４０  照明具
１５０  結束手段
１５１  結束具
１５２  紐又はロープ
１６０  吹流し本体１６０
１７０  カウンターウェイト
２０１  吹流し口
２０２  反射体
２０３  反射テープ
４０１  吹流し本体
４０２  ロープ
４０４  回転筒
【図１】
2014157042.tif 000003
【図２】
2014157042.tif 000004
【図３】
2014157042.tif 000005
【図４】
2014157042.tif 000006